(57)【特許請求の範囲】
【請求項１】
磁気ギャップを有する磁気回路と、この磁気回路に結合されたフレームと、周縁をこのフレームに結合し内周を上記磁気ギャップに一部が挿入されるボイスコイルに結合した細長形の振動板と、この振動板の長径方向の上記ボイスコイルの両側にそれぞれ配置され上記振動板に一端が、上記フレームの長径方向の外周近傍に他端が結合された２ピースのダンパーとで構成されるスピーカ。
【請求項２】
磁気ギャップを有する磁気回路と、この磁気回路に結合されたフレームと、周縁をこのフレームに結合し内周を上記磁気ギャップに一部が挿入されるボイスコイルに結合した細長形の振動板と、内周を上記ボイスコイルに結合し外周を上記フレームに結合するとともに、長径方向の波型コルゲーションと短径方向のロール型コルゲーションとで構成され、スリットを設けて短径方向の剛性を低下させたダンパーとで構成されるスピーカ。
【発明の詳細な説明】
【０００１】
【発明の属する技術分野】
本発明は各種音響機器に使用される振動板の上面図が楕円、長円、長方形、トラック形などの細長構造のスピーカに関するものである。
【０００２】
【従来の技術】
従来のスピーカについて図７〜図９により説明する。図７、図８、図９は従来のトラック形のスピーカを示すものであり、図７は長径方向の側断面図、図８は短径方向の断面図、図９は振動板を除いた状態の上面図である。
【０００３】
同図によると、マグネット１を上部プレート２及び下部プレート３によりはさみ込んで構成された磁気回路４の上部プレート２にフレーム６を結合し、このフレーム６の周縁部にコーン７をエッジ８によりクランプした構成とした振動板９を接着し、この振動板９を駆動させるためのボイスコイル１０の中間部を円形状のダンパー１１にて中心保持して上記磁気回路４の環状の磁気ギャップ５にはまり込むように結合し、ボイスコイル１０の上面にダストキャップ１２を接着して構成されていた。
【０００４】
【発明が解決しようとする課題】
しかしながら従来のこの種のスピーカは、そのトラック形というスリム形状から影響される性能上の欠点として、振動系の振幅を大きく確保することができないため、高耐入力化や高リニアリティー化が設計上困難であるという問題を有するものであった。
【０００５】
この原因は、通常スピーカの振動系の振幅を大きく左右しているのはダンパーであり、この種のスピーカの形状が細長形であるため、このダンパーの外形寸法がトラック形の短径方向の寸法により制限され、外形寸法の大きいダンパーが使用できないためである。よって、振動系の振幅を大きく確保できないために高耐入力化や高リニアリティー化が設計上困難となるものであった。
【０００６】
本発明はこのような従来の問題点を解消し、高耐入力化や高リニアリティー化を図ることができる優れたスピーカを提供することを目的とするものである。
【０００７】
【課題を解決するための手段】
上記課題を解決するために本発明のスピーカは、磁気ギャップを有する磁気回路と、この磁気回路に結合されたフレームと、周縁をこのフレームに結合し内周を上記磁気ギャップに一部が挿入されるボイスコイルに結合した細長形の振動板と、ダンパーとで構成したものであり、このダンパーは、振動板の長径方向の上記ボイスコイルの両側にそれぞれ配置され上記振動板に一端が、上記フレームの長径方向の外周近傍に他端が結合された２ピースのダンパーとで構成されるか、または内周を上記ボイスコイルに結合し外周を上記フレームに結合するとともに、長径方向の波型コルゲーションと短径方向のロール型コルゲーションとで構成され、スリットを設けて短径方向の剛性を低下させたダンパーとで構成したものであり、これらの構成により振動板等の振動系の振幅を大きく確保することができて、周波数特性のリニアリティーに優れたものや高耐入力化を図ったスピーカの提供を可能とするものである。
【０００８】
【発明の実施の形態】
本発明の請求項１に記載の発明は、磁気ギャップを有する磁気回路と、この磁気回路に結合されたフレームと、周縁をこのフレームに結合し内周を上記磁気ギャップに一部が挿入されるボイスコイルに結合した細長形の振動板と、この振動板の長径方向の上記ボイスコイルの両側にそれぞれ配置され上記振動板に一端が、上記フレームの長径方向の外周近傍に他端が結合された２ピースのダンパーとで構成されるものであり、振動板を支持するダンパーを、一端が振動板の内周近傍を、他端が上記フレームの長径方向の外周近傍に２ピース結合したので、短径方向の規制は外周近傍のフレームとの結合部分で受けるのみで、振動板等の振動系の振幅を大きく確保することができて、周波数特性のリニアリティーに優れたものや高耐入力化を図ったスピーカの提供を可能とするものである。
【０００９】
本発明の請求項２に記載の発明は、磁気ギャップを有する磁気回路と、この磁気回路に結合されたフレームと、周縁をこのフレームに結合し内周を上記磁気ギャップに一部が挿入されるボイスコイルに結合した振動板と、内周を上記ボイスコイルに結合し外周を上記フレームに結合するとともに、長径方向の波型コルゲーションと短径方向のロール型コルゲーションとで構成され、スリットを設けて短径方向の剛性を低下させたダンパーとで構成したので、短径方向のダンパーによる規制を緩和して、請求項１と同様に振動板等の振動系の振幅を大きく確保することができて、周波数特性のリニアリティーに優れたものや高耐入力化を図ったスピーカの提供を可能とするものである。
【００１０】
以下、本発明の一実施の形態について、図１から図６により説明する。
【００１１】
（実施の形態１）
本発明の請求項１に記載の発明における一実施の形態について、本実施の形態１により説明する。
【００１２】
図１は本発明の一実施の形態のトラック形のスピーカの長径方向の側断面図であり、図２は同短径方向の側断面図であり、図３は同振動板を除いた状態の上面図である。
【００１３】
同図によると、マグネット２１を上部プレート２２及び下部プレート２３によりはさみ込んで構成された磁気回路２４の上部プレート２２にフレーム２６を結合し、このフレーム２６の周縁部にコーン２７をエッジ２８によりクランプした構成とした振動板２９をその中間部を２ピースのダンパー３１Ａ及び３１Ｂにて中心保持しながら接着し、この振動板２９を駆動させるためのボイスコイル３０を磁気回路２４の環状の磁気ギャップ２５にはまり込むように結合し、ボイスコイル３０の上面にダストキャップ３２を接着して構成している。
【００１４】
なお、ダンパー３１Ａ，３１Ｂについてより詳細に述べると、ダンパー３１Ａ，３１Ｂはボイスコイル３０を中心として、振動板２９の長径方向の両側の対称位置に配置され、振動板２９に一端が、上記フレーム２６の長径方向の外周近傍に他端が結合された２ピース構成からなるものである。この時、ダンパー３１Ａ，３１Ｂはフレーム２６の短径側はスリット３３によってフレーム２６と離間されており、ダンパー３１Ａ，３１Ｂとフレーム２６の短径側との結合は長径側との結合部分を介してのみとなっている。
【００１５】
以上のように、本実施の形態のダンパー３１ａ，３１Ｂはフレーム２６の短径側の規制を長径側での結合部分を介して受けるのみであるので、振動板２９の振幅を大きく確保して、スリム形状の細長形のスピーカであってもその短径方向の寸法に左右されずに高耐入力化や高リニアリティー化を図ることが可能となるものである。
【００１６】
ダンパー３１Ａ，３１Ｂのコルゲーション形状を円弧形状にすることにより、振動板２９のローリングをも抑制することができるものである。
【００１７】
（実施の形態２）
本発明の請求項２に記載の発明における一実施の形態について、本実施の形態２により説明する。
【００１８】
図４は本発明のスピーカの他の実施の形態のトラック形のスピーカの長径方向の側断面図であり、図５は同短径方向の側断面図であり、図６は同振動板を取り除いた状態の上面図である。
【００１９】
同図によると、マグネット１２１を上部プレート１２２および下部プレート１２３により挟み込んで構成された磁気回路１２４の上部プレート１２２にフレーム１２６を結合し、このフレーム１２６の周縁部にコーン１２７をエッジ１２８によりクランプした構成とした上面がトラック形の振動板１２９の外周を結合するとともに、この振動板１２９の内周を上記磁気回路１２４に形成された環状の磁気ギャップ１２５に下部がはめ込まれる円筒状のボイスコイル１３０の中間部分に結合し、ダンパー１３１を上記振動板１２９の下方において上記フレーム１２６とボイスコイル１３０間に結合してボイスコイル１３０を上記ダンパー１３１によって支持し、ボイスコイル１３０上にダストキャップ１３２を接着してスピーカを構成するものである。
【００２０】
なお、ダンパー１３１は図６に明らかなごとく、ボイスコイル１３０に内周が結合される平板状のボイスコイル接合部１３１Ｃと、このボイスコイル接合部１３１Ｃから振動板１２９の長径方向に延出されてフレーム１２６と結合される波型コルゲーション部１３１Ａ、スリット１３１Ｄを介してボイスコイル接合部１３１Ｃから延出されて振動板１２９の短径方向のフレーム１２６と結合されるロール型コルゲーション部１３１Ｂで構成されており、スリット１３１Ｄによって短径方向の剛性を弱くしてダンパー１３１の短径方向における規制を緩和して振動板１２９等の振動系の振幅を大きく確保することができて、周波数特性のリニアリティーに優れたものや高耐入力化を図ったスピーカの提供を可能とするものである。
【００２１】
【発明の効果】
以上のように本発明は、ダンパーを振動板の長径方向のボイスコイルの両側にそれぞれ配置し振動板に一端が、フレームの長径方向の外周近傍に他端が結合された２ピース構成とするか、または内周をボイスコイルに結合し外周をフレームに結合するとともに、長径方向の波型コルゲーションと短径方向のロール型コルゲーションとで構成し、スリットを設けて短径方向の剛性を低下させた構成としたものであり、振動板の振幅を大きく確保でき、周波数特性のリニアリティーに優れたものや高耐入力化を図った細長形のスピーカの提供を可能とするものである。
【図面の簡単な説明】
【図１】  本発明の一実施の形態のスピーカの長径方向の側断面図
【図２】  同短径方向の側断面図
【図３】  同振動板を除去した状態の上面図
【図４】  同他の実施の形態の長径方向の側断面図
【図５】  同短径方向の側断面図
【図６】  同振動板を除去した状態の上面図
【図７】  従来例のスピーカの長径方向の側断面図
【図８】  同短径方向の側断面図
【図９】  同振動板を除去した状態の上面図
【符号の説明】
２４，１２４  磁気回路
２５，１２５  磁気ギャップ
２６，１２６  フレーム
２９，１２９  振動板
３０，１３０  ボイスコイル
３１Ａ，３１Ｂ  ダンパー
１３１  ダンパー
【図１】
0003911736.tif 000002
【図２】
0003911736.tif 000003
【図３】
0003911736.tif 000004
【図４】
0003911736.tif 000005
【図５】
0003911736.tif 000006
【図６】
0003911736.tif 000007
【図７】
0003911736.tif 000008
【図８】
0003911736.tif 000009
【図９】
0003911736.tif 000010